(57)【要約】【課題】通信端末に対して電子スタンプを安全に押印する。【解決手段】電子スタンプ装置は、押印検知部と、送信部と、送信部を収納する筐体とを備える。押印検知部は、押印動作を検知する。送信部は、押印動作が検知されると所定の通信端末にスタンプを表示させるためのビーコン信号を送信する。筐体は、少なくとも内側が導電性材料からなり、柱状の形状を有する。筐体は、少なくとも一部分が開口する。筐体においては、開口した部分からビーコン信号が送信される。所定の通信端末は、電子スタンプ装置から送信されたビーコン信号を受信して、スタンプが押下されたイメージを表示する。【選択図】図１
2016031662.tif 000002
【特許請求の範囲】
【請求項１】
押印動作を検知する押印検知部と、
前記押印動作が検知されると所定の通信端末にスタンプを表示させるためのビーコン信号を送信する送信部と、
少なくとも内側が導電性材料からなり前記送信部を収納する筐体と
を具備し、
前記筐体は少なくとも一部分が開口し、前記開口した部分からビーコン信号が送信される電子スタンプ装置。
【請求項２】
前記筐体は、柱状である
請求項１記載の電子スタンプ装置。
【請求項３】
前記送信部は、ビーコン信号を所定の信号強度よりも弱い信号強度になるように送信する
請求項１記載の電子スタンプ装置。
【請求項４】
前記送信部は、前記ビーコン信号の出力端が抵抗により終端される
請求項３記載の電子スタンプ装置。
【請求項５】
前記押印検知部は、前記所定の通信端末に近接または接触したときに前記押印動作を検知する
請求項１記載の電子スタンプ装置。
【請求項６】
前記押印検知部は、振動センサ、衝撃センサまたは加速度センサを備える
請求項１記載の電子スタンプ装置。
【請求項７】
前記スタンプを識別するためのスタンプ識別情報を記憶する記憶部をさらに具備し、
前記送信部は、前記スタンプ識別情報を前記ビーコン信号に含めて送信する
請求項１記載の電子スタンプ装置。
【請求項８】
前記筐体は、少なくとも内側が金属性材料からなる
請求項１記載の電子スタンプ装置。
【請求項９】
前記筐体は、前記開口した部分に前記筐体よりも前記ビーコン信号の遮蔽率の低い材料または構造を備える
請求項１記載の電子スタンプ装置。
【請求項１０】
前記筐体は、前記開口した部分に導電性シリコンゴムを備える
請求項９記載の電子スタンプ装置。
【請求項１１】
通信端末と、前記通信端末にスタンプを表示させるためのビーコン信号を送信する電子スタンプ装置とを具備する電子スタンプシステムであって、
前記通信端末は、
前記ビーコン信号を受信する受信部と、
前記スタンプを表示する表示部と
を備え、
前記電子スタンプ装置は、
押印動作を検知する押印検知部と、
前記押印動作が検知されると前記ビーコン信号を送信する送信部と、
少なくとも内側が導電性材料からなり前記送信部を収納する筐体とを備え、
前記筐体は少なくとも一部分が開口し、前記開口した部分からビーコン信号が送信される
電子スタンプシステム。
【請求項１２】
前記筐体は、前記開口した部分に前記筐体よりも前記ビーコン信号の遮蔽率の低い材料または構造を備える
請求項１１記載の電子スタンプ装置。
【請求項１３】
前記筐体は、前記開口した部分に導電性シリコンゴムを備える
請求項１２記載の電子スタンプシステム。
【請求項１４】
前記通信端末は、前記電子スタンプ装置の押印位置を検知する押印位置検知部を備え、
前記表示部は、前記押印位置検知部によって検知された前記スタンプの押印位置に応じた位置に前記スタンプを表示する
請求項１３記載の電子スタンプシステム。
【請求項１５】
押印動作を検知する押印検知手順と、
前記押印動作が検知されると所定の通信端末にスタンプを表示させるためのビーコン信号を、少なくとも内側が導電性材料からなる柱状の筐体の少なくとも一つの開口面から送信する送信手順と
を具備する電子スタンプ装置の処理方法。
【発明の詳細な説明】
【技術分野】
【０００１】
本発明は、電子スタンプシステムに関し、特に通信端末にスタンプを表示させる電子スタンプシステム、電子スタンプ装置、および、これらにおける処理方法ならびに当該方法をコンピュータに実行させるプログラムに関する。
【背景技術】
【０００２】
飲食店などの店舗においてスタンプカードを顧客に配布しておいて、来店の際にスタンプを押下することにより、スタンプの数に応じて割引などを行うというサービスが行われている。一方、文書の電子化が進み、捺印イメージを電子文書に付加する技術として電子捺印装置が提案されている（例えば、特許文献１参照。）。
【先行技術文献】
【特許文献】
【０００３】
【特許文献１】特開平５−０８９２２０号公報
【発明の概要】
【発明が解決しようとする課題】
【０００４】
しかしながら、従来の電子捺印装置をスタンプカードに適用しようとすると、捺印のための情報が常時、広範にブロードキャストされてしまうため、悪意のある第三者に悪用されてしまうおそれがある。
【０００５】
本発明はこのような状況に鑑みて生み出されたものであり、通信端末に対して電子スタンプを安全に押印することを目的とする。
【課題を解決するための手段】
【０００６】
本発明は、上述の問題点を解消するためになされたものであり、その第１の側面は、押印動作を検知する押印検知部と、上記押印動作が検知されると所定の通信端末にスタンプを表示させるためのビーコン信号を送信する送信部と、少なくとも内側が導電性材料からなり上記送信部を収納する柱状の筐体とを具備し、上記筐体は少なくとも一つの面が開口し、上記開口した面からビーコン信号が送信される電子スタンプ装置およびその処理方法である。これにより、電子スタンプ装置における押印動作の検知に伴い、筐体の開口した面からビーコン信号を送信させるという作用をもたらす。
【０００７】
また、本発明の第２の側面は、通信端末と、上記通信端末にスタンプを表示させるためのビーコン信号を送信する電子スタンプ装置とを具備する電子スタンプシステムであって、上記電子スタンプ装置は、押印動作を検知する押印検知部と、上記押印動作が検知されると上記ビーコン信号を送信する送信部と、少なくとも内側が導電性材料からなり上記送信部を収納する柱状の筐体とを備え、上記筐体は少なくとも一つの面が開口し、上記開口した面からビーコン信号が送信される電子スタンプシステムである。これにより、電子スタンプ装置における押印動作の検知に伴い、筐体の開口した面から通信端末に対してビーコン信号を送信させるという作用をもたらす。
【発明の効果】
【０００８】
本発明によれば、通信端末に対して電子スタンプを安全に押印することができるという優れた効果を奏し得る。
【図面の簡単な説明】
【０００９】
【図１】本発明の第１の実施の形態における電子スタンプシステムの一構成例を示す図である。
【図２】本発明の第１の実施の形態における電子スタンプ装置２００の内部構成例を示す図である。
【図３】本発明の第１の実施の形態における電子スタンプ装置２００の他の内部構成例を示す図である。
【図４】本発明の第１の実施の形態における電子スタンプ装置２００の信号強度の測定データの一例を示す図である。
【図５】本発明の第１の実施の形態における電子スタンプシステムの捺印表示の一例を示す図である。
【図６】本発明の第１の実施の形態における電子スタンプシステムの処理手順の一例を示すシーケンス図である。
【図７】本発明の第２の実施の形態における電子スタンプシステムの一構成例を示す図である。
【図８】本発明の第２の実施の形態における電子スタンプシステムの処理手順の一例を示すシーケンス図である。
【発明を実施するための形態】
【００１０】
以下、本発明を実施するための形態（以下、実施の形態と称する）について説明する。
【００１１】
＜１．第１の実施の形態＞
［電子スタンプシステムの構成］
図１は、本発明の第１の実施の形態における電子スタンプシステムの一構成例を示す図である。この電子スタンプシステムは、通信端末１００と、電子スタンプ装置２００と、サーバ３００とを備える。ここでは、それぞれ１台について説明するが、それぞれ複数台備えるようにしてもよい。
【００１２】
電子スタンプ装置２００は、通信端末１００にスタンプを表示させるためのビーコン信号を発信するものである。この電子スタンプ装置２００は、処理部２１０と、記憶部２２０と、送信部２３０と、押印検知部２４０とを備えている。
【００１３】
処理部２１０は、電子スタンプ装置２００において必要な処理を行うプロセッサである。具体的には、処理部２１０は、押印検知部２４０により押印動作が検知されると、記憶部２２０に記憶されているスタンプ識別情報を含むビーコン信号を送信部２３０から送信するよう制御する。
【００１４】
記憶部２２０は、処理部２１０の処理に必要なデータを記憶するメモリである。また、この記憶部２２０は、この電子スタンプ装置２００を識別するためのスタンプ識別情報を記憶する。
【００１５】
押印検知部２４０は、電子スタンプ装置２００の押印動作を検知するものである。この押印検知部２４０は、例えば、振動センサ、衝撃センサまたは加速度センサなどを備え、電子スタンプ装置２００の動作を検知する。押印時には、電子スタンプ装置２００が一定の速度で移動した後に、通信端末１００の表面付近において停止することが想定される。そのため、押印検知部２４０は、そのような一連の動きを検知することにより、押印動作が行われたものと推定する。すなわち、電子スタンプ装置２００が通信端末１００に近接または接触したときに押印動作を検知することができる。
【００１６】
送信部２３０は、押印検知部２４０により押印動作が検知されると、処理部２１０からの制御に従い、記憶部２２０に記憶されているスタンプ識別情報を含むビーコン信号を無線送信するものである。このような無線通信の規格として、例えば、超低消費電力に最適化された「Ｂｌｕｅｔｏｏｔｈ（登録商標）  Ｌｏｗ  Ｅｎｅｒｇｙ」（以下、「ＢＬＥ」と略す。）が想定される。なお、通信端末１００に無線送信することができるのであれば、送信部２３０は、Ｗｉ−Ｆｉ（登録商標）規格など、別の通信規格によりビーコン信号を無線送信してもよい。
【００１７】
通信端末１００は、ユーザ（例えば顧客など）が携帯する端末である。この通信端末１００としては、例えば、携帯端末やタブレット型パーソナルコンピュータなどが挙げられる。この通信端末１００は、電子スタンプ装置２００からビーコン信号を受信して、サーバ３００によってスタンプ識別情報の認証に成功すると、電子スタンプの捺印を行う。この通信端末１００は、処理部１１０と、操作部１３０と、表示部１４０と、受信部１５０と、サーバ通信部１６０と、押印位置検知部１９０とを備える。
【００１８】
処理部１１０は、通信端末１００において必要な処理を行うプロセッサである。具体的には、処理部１１０は、電子スタンプの捺印表示を行うプログラム１１１を実行する。このプログラム１１１は、電子スタンプ装置２００から受信したビーコン信号に含まれるスタンプ識別情報についてサーバ３００に認証を依頼し、認証に成功した場合には、表示部１４０上に電子スタンプの捺印表示を行う。
【００１９】
操作部１３０は、ユーザからの操作入力を受け付けるためのものである。この操作部１３０としては、例えば、タッチパネルの触覚センサが想定されるが、外部接続されたキーボードなどを使用してもよい。表示部１４０は、ユーザに対して情報の通知や、コンテンツの表示を行うためのものである。この表示部１４０としては、例えば、視覚に対して出力するものとしてタッチパネルの表示部が想定される。すなわち、操作部１３０および表示部１４０は、一体化されたタッチパネルとして構成することができる。押印位置検知部１９０は、電子スタンプ装置２００による押印動作が行われた際の操作部１３０上の押印位置を検知するものである。表示部１４０は、押印位置検知部１９０により検知された押印位置に応じた位置に電子スタンプの捺印表示を行うようにしてもよい。
【００２０】
受信部１５０は、電子スタンプ装置２００からスタンプ識別情報を含むビーコン信号を受信するものである。電子スタンプ装置２００において押印動作が検知されると、電子スタンプ装置２００から送信されたビーコン信号を受信部１５０が受信することになる。
【００２１】
サーバ通信部１６０は、ネットワーク４００を介して、サーバ３００との間で通信を行うものである。
【００２２】
サーバ３００は、スタンプ識別情報の認証を行うサーバである。このサーバ３００は、処理部３１０と、スタンプ識別情報データベース３２０と、判定部３３０と、端末通信部３６０とを備える。
【００２３】
処理部３１０は、サーバ３００において必要な処理を行うプロセッサである。具体的には、通信端末１００から受信したスタンプ識別情報についてスタンプ識別情報データベース３２０を照合し、そのスタンプ識別情報が正当なものであるか否かを判定部３３０に判定させる。
【００２４】
スタンプ識別情報データベース３２０は、スタンプ識別情報の一覧を記憶するデータベースである。このスタンプ識別情報データベース３２０は、例えば、有効なスタンプ識別情報を記憶するように管理されてもよい。また、通信端末１００の端末識別情報とそれに対応するスタンプ識別情報とを関連付けて記憶するように管理されてもよい。後者の場合、通信端末１００から端末識別情報を取得する必要がある。
【００２５】
判定部３３０は、スタンプ識別情報データベース３２０を照合して、スタンプ識別情報が正当なものであるか否かを判定するものである。この判定部３３０によってスタンプ識別情報が正当なものであると判定されれば、そのスタンプ識別情報の認証は成功したことになる。例えば、スタンプ識別情報データベース３２０が有効なスタンプ識別情報を記憶するように管理されている場合、通信端末１００から受信したスタンプ識別情報がスタンプ識別情報データベース３２０に記憶されていれば、スタンプ識別情報が正当なものであると判定される。また、スタンプ識別情報データベース３２０が通信端末１００の端末識別情報とそれに対応するスタンプ識別情報とを関連付けて記憶するように管理されている場合、通信端末１００から受信したスタンプ識別情報および端末識別情報が対応するようにスタンプ識別情報データベース３２０に記憶されていれば、スタンプ識別情報が正当なものであると判定される。
【００２６】
端末通信部３６０は、ネットワーク４００を介して、通信端末１００との間で通信を行うものである。
【００２７】
図２は、本発明の第１の実施の形態における電子スタンプ装置２００の内部構成例を示す図である。この電子スタンプ装置２００は、筐体２８１の内部に電池２８３および回路基板２８４を収納する。
【００２８】
筐体２８１は、電子スタンプ装置２００を構成する電池２８３および回路基板２８４を収納するものである。この筐体２８１は、少なくとも内側がアルミニウムなどの金属を含む導電性材料からなる。これにより、回路基板２８４上の送信部２３０から送信されるビーコン信号が漏れないように遮蔽される。
【００２９】
この筐体２８１は、柱状または筒状等の形状を有する。この筐体２８１は、少なくとも一つの面が開口しており、その開口した面からビーコン信号が送信される。その開口した面には、導電性シリコンゴム２８２が設けられる。これにより、ビーコン信号の信号強度を弱くすることができる。また、通信端末１００の操作部１３０が静電式タッチパネルにより構成される場合、電子スタンプ装置２００の接触面にこの導電性シリコンゴム２８２を設けることにより、通信端末１００に操作部１３０上の位置を検知させることができる。なお、筐体２８１は、例えば図３に示すように、球状等の形状でもよく、筐体２８１の少なくとも一部が開口し、その開口した部分からビーコン信号が送信されればよい。また、導電性シリコンゴム２８２を必ずしも設ける必要はなく、ビーコン信号を筐体２８１の開口部分から微弱に漏洩させる材質の材料を設け、または、ビーコン信号を筐体２８１の開口部分から微弱に漏洩させる構造を設けるようにしてもよい。すなわち、その開口した部分に、筐体２８１よりもビーコン信号の遮蔽率の低い材料または構造を備えるようにしてもよい。例えば、わずかな開口部のあるアルミ板を設け、または、導電性材料を格子状に開口部に設けることが考えられる。
【００３０】
電池２８３は、電子スタンプ装置２００を動作させるための電源である。回路基板２８４は、電池２８３から供給される電源によって動作する回路を搭載した基板である。この回路基板２８４には、上述の処理部２１０、記憶部２２０、送信部２３０、および、押印検知部２４０が搭載される。回路基板２８４の送信部２３０では、本来のアンテナ端子として設けられた部分（ビーコン信号の出力端）が抵抗により終端される。これにより、送信部２３０から出力されるビーコン信号の信号強度を弱くすることができる。なお、この回路基板２８４は、送信部２３０から出力されるビーコン信号の信号強度を所定の信号強度よりも弱くすることができる機構であればよく、例えばアンテナ端子にアンテナを接続しても微弱な電波しか発信されない機構等としてもよい。
【００３１】
［電子スタンプ装置が送信する信号の受信信号強度］
図４は、本発明の第１の実施の形態における電子スタンプ装置２００の信号強度の測定データの一例を示す図である。この図において、グラフの横軸は、電子スタンプ装置２００からの距離を対数目盛により示している。また、グラフの縦軸は、電子スタンプ装置２００が送信する信号の通信端末１００における受信信号強度ＲＳＳＩ（ｄＢｍ）を示している。グラフの各プロットは、○印が電子スタンプ装置２００の開口面を正面とした場合のデータを示し、Ｘ印が電子スタンプ装置２００の側面を向けた場合のデータを示している。
【００３２】
このデータから、信号強度ＲＳＳＩの閾値を「−９０ｄＢｍ」とすると、電子スタンプ装置２００の開口面を正面とした場合には１０乃至２０（ｍｍ）程度まで接近すれば、通信端末１００においてビーコン信号を受信することができることがわかる。一方、電子スタンプ装置２００の側面を通信端末１００に近づけても、ビーコン信号を受信することが困難であることがわかる。
【００３３】
［捺印表示］
図５は、本発明の第１の実施の形態における電子スタンプシステムの捺印表示の一例を示す図である。同図における（ａ）は、電子スタンプ装置２００による押印動作の直前の通信端末１００の表示状態を示している。この例では、電子スタンプとして既に２つの捺印が表示されている。
【００３４】
同図における（ｂ）に示すように、通信端末１００に対して電子スタンプ装置２００による押印動作が行われると、電子スタンプ装置２００からスタンプ識別情報を含むビーコン信号が送信される。通信端末１００はスタンプ識別情報の認証に成功すると、同図における（ｃ）に示すように、３つ目の捺印表示が行われる。すなわち、同図における（ａ）の空欄表示１４１から、同図における（ｃ）の捺印表示１４２に更新される。
【００３５】
この例では、３つ目の空欄表示１４１の位置に対して電子スタンプ装置２００の押印動作が行われ、その位置に捺印表示１４２が行われているが、捺印表示の位置についてはシステムの要求仕様に応じて定めることができる。例えば、予め捺印表示を行う順序を定めておいて、電子スタンプ装置２００の押印動作が行われた位置にかかわらず、順番に捺印表示を行うことが考えられる。また、電子スタンプ装置２００の押印動作が行われた位置を検知して、その検知された位置に最も近い空欄表示を捺印表示に更新することが考えられる。
【００３６】
［動作］
図６は、本発明の第１の実施の形態における電子スタンプシステムの処理手順の一例を示すシーケンス図である。
【００３７】
押印検知部２４０によって電子スタンプ装置２００における押印動作が検知されると（ステップＳ９１１）、送信部２３０からスタンプ識別情報を含むビーコン信号が送信される（ステップＳ９１２）。
【００３８】
通信端末１００は、受信部１５０によってスタンプ識別情報を含むビーコン信号を受信すると（ステップＳ９１３）、サーバ通信部１６０によってそのスタンプ識別情報の正当性をサーバ３００に問い合わせる（ステップＳ９１４）。
【００３９】
サーバ３００は、端末通信部３６０によって通信端末１００からのスタンプ識別情報を受け取ると（ステップＳ９１５）、スタンプ識別情報データベース３２０に問い合わせを行う（ステップＳ９１６）。そして、判定部３３０によってスタンプ識別情報が正当なものであると判定されると、サーバ３００は、端末通信部３６０によって電子スタンプの押印指令を送信する（ステップＳ９１７）。
【００４０】
通信端末１００は、サーバ３００からの押印指令を受信すると（ステップＳ９１８）、電子スタンプの押印空欄部分にスタンプを押印して捺印表示を行う（ステップＳ９１９）。この場合の捺印表示位置については上述の通りである。
【００４１】
このように、本発明の第１の実施の形態によれば、電子スタンプ装置２００における押印動作に起因してスタンプ識別情報を含むビーコン信号を通信端末１００に送信することにより、サーバ３００によるスタンプ識別情報の認証を行った上で、通信端末１００に対して電子スタンプを安全に押印することができる。
【００４２】
＜２．第２の実施の形態＞
［電子スタンプシステムの構成］
図７は、本発明の第２の実施の形態における電子スタンプシステムの一構成例を示す図である。この電子スタンプシステムは、通信端末１００と、電子スタンプ装置２００とを備える。ここでは、それぞれ１台について説明するが、それぞれ複数台備えるようにしてもよい。
【００４３】
電子スタンプ装置２００は、通信端末１００にスタンプを表示させるためのビーコン信号を発信するものであり、その構成は上述の第１の実施の形態と同様である。
【００４４】
通信端末１００は、上述の第１の実施の形態におけるサーバ３００のスタンプ識別情報の認証機能を内部に有する点において、第１の実施の形態と異なる。この第２の実施の形態における通信端末１００は、処理部１１０、操作部１３０、表示部１４０、受信部１５０および押印位置検知部１９０に加えて、記憶部１２０と、判定部１７０とを備える。
【００４５】
記憶部１２０は、この通信端末１００に対応するスタンプ識別情報を記憶する。この記憶部１２０に記憶されるスタンプ識別情報は、判定部１７０におけるスタンプ識別情報の認証の際に参照される。
【００４６】
判定部１７０は、記憶部１２０を参照して、スタンプ識別情報が正当なものであるか否かを判定するものである。この判定部１７０によってスタンプ識別情報が正当なものであると判定されれば、そのスタンプ識別情報の認証は成功したことになる。例えば、電子スタンプ装置２００から受信したスタンプ識別情報と記憶部１２０に記憶されるスタンプ識別情報とが一致すれば、電子スタンプ装置２００から受信したスタンプ識別情報が正当なものであると判定される。
【００４７】
［動作］
図８は、本発明の第２の実施の形態における電子スタンプシステムの処理手順の一例を示すシーケンス図である。
【００４８】
押印検知部２４０によって電子スタンプ装置２００における押印動作が検知されると（ステップＳ９２１）、送信部２３０からスタンプ識別情報を含むビーコン信号が送信される（ステップＳ９２２）。これらの動作は、上述の第１の実施の形態と同様である。
【００４９】
通信端末１００は、受信部１５０によってスタンプ識別情報を含むビーコン信号を受信すると（ステップＳ９２３）、記憶部１２０に記憶されているスタンプ識別情報を参照することにより、判定部１７０においてスタンプ識別情報の正当性を認証する（ステップＳ９２６）。そして、判定部１７０によってスタンプ識別情報が正当なものであると判定されると、電子スタンプの押印空欄部分にスタンプを押印して捺印表示を行う（ステップＳ９２９）。
【００５０】
このように、本発明の第２の実施の形態によれば、スタンプ識別情報の認証をサーバに依頼せずに通信端末１００単体で行うことにより、電子スタンプを安全に押印することができる。
【００５１】
なお、上述の実施の形態は本発明を具現化するための一例を示したものであり、実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、その要旨を逸脱しない範囲において実施の形態に種々の変形を施すことにより具現化することができる。
【００５２】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【符号の説明】
【００５３】
１００  通信端末
１１０  処理部
１１１  プログラム
１２０  記憶部
１３０  操作部
１４０  表示部
１５０  受信部
１６０  サーバ通信部
１７０  判定部
２００  電子スタンプ装置
２１０  処理部
２２０  記憶部
２３０  送信部
２４０  押印検知部
２８１  筐体
２８２  導電性シリコンゴム
２８３  電池
２８４  回路基板
３００  サーバ
３１０  処理部
３２０  スタンプ識別情報データベース
３３０  判定部
３６０  端末通信部
４００  ネットワーク
【図１】
2016031662.tif 000003
【図２】
2016031662.tif 000004
【図３】
2016031662.tif 000005
【図４】
2016031662.tif 000006
【図５】
2016031662.tif 000007
【図６】
2016031662.tif 000008
【図７】
2016031662.tif 000009
【図８】
2016031662.tif 000010